(57)【要約】      （修正有）【課題】    眠っている時に、ふくらはぎのところが引きつって、痛い思いをするのを防ぐために、暑い時に、寝具の掛け物から脚を出して、快適に眠れる筒状のものを提供する。【解決手段】  靴下をくるぶしのところで、筒状に斜めに切ったような形のはくものをつくり、脛のあたる前側を、織り目をうすく粗く織り、後ろ側のほうの織り目は厚く密に織る。ふくらはぎの下半分が当たるところは、発熱繊維を入れて織る。【選択図】        図１
2006089892.tif 000002
【特許請求の範囲】
【請求項１】
靴下のくるぶしのところを斜めに切り落して、上の部分を使うようなかたちの寝ている時に、こむら返りを抑えるためにはく筒状のもの。
【請求項２】
前記こむら返りを抑えるためにはくものは、前側のすねのあたる部分は、後ろ側のふくらはぎのあたるところより、全体の長さが短いかたちになる、請求項１のこむら返しを抑えるためにはく筒状のもの。
【請求項３】
前記すねのあたる部分は、通風性をよくするため、うすく粗く織ったものを使う、請求項１のこむら返りを抑えるためにはく筒状のもの。
【請求項４】
前記ふくらはぎのあたる部分の下の方は、発熱繊維を織り交ぜてつくる、請求項１のこむら返りを抑えるためにはく筒状のもの。
【請求項５】
前記ふくらはぎのあたる部分の下の方は、伸縮性の強めの編み方で巾を広めに取る、請求項１のこむら返りを抑えるためにはく筒状のもの。
【発明の詳細な説明】
【発明の詳細な説明】
【技術分野】
【０００１】  本発明は、暑い夜寝ている時に、寝具から足を出してふくらはぎを長い時間冷やしたりすると、急にふくらはぎのところが引きつって、あまりの痛さに目を覚まし、あれこれと、痛みが引く方法を試みることがあります。このようなことを起こらなくするため、夏場にはいても暑く感じなくて、ふくらはぎを冷すことのない、こむら返りを抑えるためにはく筒状のもののせいぞう方法に関する。
【背景技術】
【０００２】  従来の筒状の形をしていて、脚を保温するためにはくものは、寒いときにはくものが殆どであって、夏場の暑い時期には、とても暑くなり過ぎて、はいて眠ることの出来るようなものではなかった。
【発明が解決しようとする課題】
【０００３】  暑い夜、寝ている時に、寝具の掛け物から脚を出していた方が、気持ちよいために、脚を出しっぱなしで寝てしまいます。すると時によりふくらはぎを長い時間冷やすことにより、ふくらはぎの下の方がひきつり、あまりの痛さに目を覚ましてしまうことがあります。このことは、中年以上の殆どの人が経験しています。暑い時、寝具の掛け物から長い時間足を出して寝ても、ふくらはぎの引きつるこむら返りを押さえるようなものを作る。
【０００４】  寝ている時に、長い時間脚を冷やしてしまうと、脚がだるく感じることがあります。脚の疲労の回復を図る為には、ふくらはぎの部分を暖めて寝ることにより、足の疲れを取る事が出来ます。夏はふくらはぎを冷さないようにする為、冬には脚を暖めることにより足まで暖めることができるような、脚にはいて眠る保温具をつくる。
【課題を解決するための手段】
【０００５】  こむら返りの起きる原因となるものとして。運動や仕事などで、脚に多く負担をかけたときや、暑い時に、寝具から長い時間脚を出して寝て、ふくらはぎを長く冷やしてしまったときなどによく起こります。長い時間脚を時間寝具から出して寝ても、ふくらはぎを冷やして、引きつることを抑えるる為に、脚にはく保温具をつくる。
【０００６】  そして、こむら返りを抑えるためにはく筒状のものは、暑い時にはいても、脚が蒸れて寝苦しくなることの無いようにするため。筒状のものの脛を覆う前半分は、足にはいても涼しく感じるもので、吸湿性のよい繊維を使用した上で。織る方法も涼しさ感じられるものにつくる。
【０００７】  また、ふくらはぎを覆う後ろ半分は、脛を覆う前半分と同じ繊維で、保温効果の高い織り方でつくる。
【０００８】さらに、こむら返りを防ぐだけでなく、ふくらはぎを長い時間冷やすことにより、足がだるく感じるようになるのを防ぐ為に。ふくらはぎの半分より下の部分が当たるところに、発熱繊維を織り込んでつくる。
【発明実施の形態】
【０００９】  発明実施の形態を実施例にもとづき図面を参照して説明する。
図１において、寝ている時に起こるこむら返りを抑えるためにはく筒状のものは、膝の下からくるぶしの上までのところに、就寝時、両脚にはいて、ふくらはぎが引きつって、痛い思いをしないようにする為にはくもの。
【００１０】  図１に示される実施例では、上つまり脛を覆う前側のほうは短くして、ふくらはぎにあてがう後ろ側の方は長めにつくってはく。
【００１１】  図１は、脛を覆う短いほうは，織り方をうすく粗めに織り。ふくらはぎのあたる長い方は厚めに網目を蜜に織る。
【００１２】  図１，２は、こむら返りを防ぐためにはくものの、膝によった上の方は細いゴム糸を入れて織って、巾を狭めにして伸縮性を持たせる。また、くるぶしによった下の方は、細いゴム糸を巾広く入れて織って、締め付けがきつくならない程度で、伸縮性を持たせる。
【００１３】  図２に示される実施例では、こむら返りでふくらはぎが引きつった時、非常に痛みを感じる部分、ふくらはぎの半分より下に当たるほうに。発熱繊維を入れて織る。
【発明の効果】
【００１４】本発明は、上述の通り構成されているので、次に記載されるような効果を奏する。
【００１５】  夏の暑い夜など、眠る時にお腹のところだけ掛け物をして、足を出して眠るのは、気持ちよいものであるが。ふくらはぎを冷やすことによっても起こるこむら返りになって、痛い思いをするのではと思うと、脚を掛け物の外に出して眠ることに、躊躇していたが。こむら返りを抑えるためにはく筒状のものを、はくことにより。暑い夜も、こむら返りの心配しないで、安心して足を出して眠ることが出来る。
【００１６】  そして、夏の暑い夜には、引きつったときに痛くなるので、ふくらはぎの下のところは冷やしたくないものであるが。足の部分は涼しくして眠りたいものであり、それだけでなく、太股のところも涼しくして眠りたいもので。ふくらはぎのあたりを、冷すことが無いように、こむら返りを抑えるためにはく筒状のものをははいて寝ることにより、暑い夏の夜の寝苦しさを和らげることが出来る。
【００１７】  さらに、こむら返りを抑えるためにはく筒状のものをはいて寝ることにより。ふくらはぎを冷すことにより起こる、脚がだるく感じることを、減らすことが出来る。
【００１８】  また、こむら返りを抑えるためにはく筒状のものは。夏だけでなく、一年を通してはくことにより。脚を暖める作用も果たすので、脚の疲労回復にも役立たせることが出来る。
【００１９】  本発明の効果は、以上に説明したことにより。こむら返り抑えるためにはく筒状のものにおいて、これをはくことにより、こむら返りの心配しないで、暑い夜に寝具から脚を出して、涼しく眠ることができ。暑い時ばかりでなく、一年を通して、これをはいて脚を保温することにより、脚の疲労回復にも役立ち、健康にも良い使い方ができる。
【図面の簡単な説明】
【図１】  こむら返りを抑えるためにはく筒状のものの実施例を示す側面図である。
【図２】  こむら返りを抑えるためにはく筒状のものの側面図である。
【図３】  こむら返りを抑えるためにはく筒状のものの後ろ側半分に切った展開図である。
【符号の説明】
１  こむら返りを抑えるためにはく筒状のもの
２  うすく粗めに織る部分
３  厚めに織る部分
４  発熱繊維を入れて織る部分
５  ゴム糸幅広く入れて織る部分
６  ゴム糸を巾狭く入れて織る部分
【図１】
2006089892.tif 000003
【図２】
2006089892.tif 000004
【図３】
2006089892.tif 000005